(57)【要約】【課題】製品コストが安く、消費電力が少なく、かつ遠距離であっても観察しやすい測点指示装置を提供する。【解決手段】上記課題を解決するために、本発明の測点指示装置においては、コリメータレンズと、それぞれの光軸がコリメータレンズの光軸上の焦点位置で交差するように配置された少なくとも二つの光源と、二つの光源を独立に制御して駆動可能な駆動回路と、コリメータレンズの焦点位置と光源との間に設けられ、二つの光源から出て焦点に至る光束のうち、二つの光源の光軸で囲まれる内側の領域の光を通し二つの光軸の外側の領域の光を遮光するスリット状の遮光板と、を備えている。【選択図】　図１
2004138382.tif 000002
【特許請求の範囲】
【請求項１】
測量機の視準方向を視認するための測点指示装置であって、
コリメータレンズと、
それぞれの光軸が前記コリメータレンズの光軸上の焦点位置で交差するように配置された少なくとも二つの光源と、
前記二つの光源を独立に制御して駆動可能な駆動回路と、
前記コリメータレンズの焦点位置と前記光源との間に設けられ、前記二つの光源から出て前記焦点に至る光束のうち、該二つの光源の光軸で囲まれる内側の領域の光を通し該二つの光軸の外側の領域の光を遮光するスリット状の遮光板と、を備えたことを特徴とする測点指示装置。
【請求項２】
前記二つの光源は異なる発光周期で発光する請求項１記載の測点指示装置。
【請求項３】
前記二つの光源は異なる色で発光する請求項１記載の測点指示装置。
【発明の詳細な説明】
【０００１】
【技術分野】
本発明は、測量機の視準方向を視準の目標側から視認するための測点指示装置に関する。
【０００２】
【従来技術及びその問題点】
図３は、測点指示装置の従来例１の構成を示す図である。図３においては、コリメータレンズ２５の光軸の焦点位置に色の異なる透光板２７が設けられており、透光板２７の後方に光源２３が配置されている。光源２３から発した一次光は透光板２７で二次光として拡散されてターゲットに至る。
【０００３】
この装置において、例えば、図３において、透光板２７の光軸の上側を緑色、下側を赤色としたとき、それらの光をターゲット側から観察すると、コリメータレンズ２５からの光は光軸の左右で異なり、光軸付近では両色が混色して観察できる。すなわち、測点指示装置の光軸より右側であれば赤色、左側であれば緑色を、ほぼ光軸付近であれば両色を観察することができる。
【０００４】
この装置においては、光軸付近で光源２３を幅をもってみることができるため見分けやすい。
【０００５】
しかし、従来例１においては、光源２３からの光を直接観察するものではなく、透光板２７を透過した二次光を観察するものであるため、遠距離で観察する場合には相当強い光源が必要であり、消費電力が大きくならざるを得ない。
【０００６】
また、透光板２７による二次光は、遠距離からでは背景色と判別し難い。光源２３が二つ以上あれば、光源２３ごとに発光周期を分けることによって視認性を上げることも考えられる。しかし、従来例１では、光源２３が一つであるため発光周期を分けることは不可能である。
【０００７】
図４は、測点指示装置の従来例２（実開昭６２−１０６１５号公報）の構成を示す図である。図４においては、二つの発光ダイオード３３から発した光がレンズ３５の光軸上に配置されたプリズム３７の二つの反射面でそれぞれ反射され、反射光はコリメータレンズ３５に入射する。従来例２においては、透光板を用いていないため、二次光ではなく一次光を使用して測点指示することができる。このため、遠距離であっても観察しやすい。また、従来例２においては、従来例１とは異なり、一次光を直接使いかつコリメータレンズが一つで済む。
【０００８】
しかし、反射面を２面有する反射部材（プリズム３７）が必要である。このため、製品のコストアップの要因となっていた。
【０００９】
図５は、測点指示装置の従来例３（特許第３０９６１４０号）の構成を示す図である。図５においては、光軸が互いに平行である二つのコリメータレンズ４５と、コリメータレンズ４５の光軸上に配置されて可視光束を射出する二つの光源４３と、コリメータレンズ４５の光源４３側の焦点位置にあって光束を遮蔽する二つの遮光板４７とが設けられ、各遮光板４７は二つの光軸よりも内側に向かう光束を遮光する位置に配置されている。このような構成により、光源４３から発せられた光は遮光板４７で半分遮光されるものの従来例１のように拡散されることなく、コリメータレンズ４５に至る。したがって、このような構成により、遠距離であっても観察しやすい。また、従来例２のように二つの反射面を必要としない。
【００１０】
しかしながら、従来例３では、一次光を直接使っているものの、コリメータレンズ４５が二つ必要であるため、製品コストアップの要因となっていた。
【００１１】
【特許文献】
実開昭６２−１０６１５号公報
特許第３０９６１４０号
【００１２】
【発明の目的】
そこで本発明の目的は、製品コストが安く、消費電力が少なく、かつ遠距離であっても観察しやすい測点指示装置を提供することにある。
【００１３】
【発明の概要】
本発明の測点指示装置においては、コリメータレンズと、それぞれの光軸がコリメータレンズの光軸上の焦点位置で交差するように配置された少なくとも二つの光源と、二つの光源を独立に制御して駆動可能な駆動回路と、コリメータレンズの焦点位置と光源との間に設けられ、二つの光源から出て焦点に至る光束のうち、二つの光源の光軸で囲まれる内側の領域の光を通し二つの光軸の外側の領域の光を遮光するスリット状の遮光板と、を備えている。
【００１４】
本発明の測点指示装置においては、二つの光源を異なる発光周期で発光させることが好ましい。
【００１５】
本発明の測点指示装置においては、二つの光源を異なる色で発光させることが好ましい。
【００１６】
【発明の実施の形態】
以下、本発明にかかる実施形態を図面を参照しつつ詳しく説明する。
図１は、本実施形態にかかる測点指示装置１の構成を上から見た図である。図２は、図１のＩＩ部分の部分拡大図である。本実施形態にかかる測点指示装置１は、光源３、４、コリメータレンズ５、遮光板７、駆動回路９を有する。
【００１７】
光源３、４は異色（赤、緑）発光の二つのＬＥＤであって、同一平面上において、コリメータレンズ５の光軸５ａを中心とする線対称の位置に設けてある。二つの光源３、４と、コリメータレンズ５とは対向するように設けられており、二つの光源３、４の光軸３ａ、４ａはコリメータレンズ５の焦点５ｆで交差している。
【００１８】
コリメータレンズ５は光源３、４に共通であって、光源３、４を出てコリメータレンズ５の中央部に入射した光は出射後に平行に進み、周辺部に入射した光は出射後に収束するという特性を有している。
【００１９】
二つの光源３、４とコリメータレンズ５の間には、中央にスリット７ａを設けた遮光板７が配置されている。遮光板７は、二つの光源３、４の光軸３ａ、４ａがスリット７ａを通ってコリメータレンズ５の焦点５ｆに至るように配置されている。このため、二つの光源３、４の光軸が囲む領域の内側領域の光はスリット７ａを通過するが、光源３、４の光軸が囲む領域の外側領域の光は遮光される。
【００２０】
以上の構成により、スリット７ａを通過してコリメータレンズ５の焦点５ｆで交差した光のうち、コリメータレンズ５の中央付近に入射した光はコリメータレンズ５を射出後平行に進む。これに対して、コリメータレンズ５の周辺部分に入射した光はコリメータレンズ５を射出後、いったん収束した後に次第に拡散していく。
【００２１】
二つの光源３、４の発光条件は駆動回路９により別個独立に制御される。本実施形態においては、駆動回路９によって光源３、４のそれぞれの発光周期（周波数）を異ならせている。具体的には、視準の目標側から見て左側の光源３は２Ｈｚの一定周期で点滅、右側の光源４は１Ｈｚの一定周期で点滅するように駆動される。
【００２２】
このように光源３、４を駆動することにより、視準の目標側から見ると、左側部分１１に光源３からの速い点滅光、右側部分１３に光源４からの遅い点滅光を観測することができる。
【００２３】
また、本実施形態においては、光源３及び光源４から中央部５ｂに入射した光は一定の幅をもって平行に進行し、収束後には光源の光が混ざった状態で平行に進行するため、測点領域としての中央部分１２とその周囲を容易に識別することができる。
【００２４】
さらに、本実施形態においては、光源３及び光源４からの光軸をコリメータレンズ５の焦点５ｆで交差させているため、測点領域を一定の幅とすることができる。
【００２５】
本実施形態においては赤色及び緑色発光のＬＥＤを光源３、４として用いたが、ほかの色の光源を用いてもよく、同色であってもよい。また、ＬＥＤ以外の光源を用いてもよい。
【００２６】
また、本実施形態では、発光条件として、二つの光源の発光周期を異ならせていたが、光源から発する光の発光デューティー比や光源の輝度を異ならせてもよい。
【００２７】
もちろん、発光パターン（発光周期、発光デューティー比）、発光色、及び輝度を適宜組み合わせることによりさらに視認性が向上する。
【００２８】
本発明について上記実施形態を参照しつつ説明したが、本発明は上記実施形態に限定されるものではなく、改良の目的または本発明の思想の範囲内において改良または変更が可能である。
【００２９】
【発明の効果】
以上説明したように、本発明によると、コリメータレンズが一つで済み、反射部材も必要がないため、製品コストを安くすることができる。また、透光板を用いず、光源からの一次光を直接使うことにより光源の輝度を上げる必要がないため消費電力を少なくすることができる。さらに、二つの光源の発光パターン、発光色、輝度などの発光条件を異ならせることにより、測点領域の視認が容易となるため、遠距離の測定であっても測点指示を容易に行うことができる。
【図面の簡単な説明】
【図１】本発明の実施形態にかかる測点指示装置の構成を上から見た図である。
【図２】図１のＩＩ部分の部分拡大図である。
【図３】測点指示装置の従来例１の構成を示す図である。
【図４】測点指示装置の従来例２の構成を示す図である。
【図５】測点指示装置の従来例３の構成を示す図である。
【符号の説明】
１　　測点指示装置
３　　光源
３ａ　光軸
４　　光源
４ａ　光軸
５　　コリメータレンズ
５ａ　光軸
５ｂ　中央部
７　　遮光板
７ａ　スリット
【図１】
2004138382.tif 000003
【図２】
2004138382.tif 000004
【図３】
2004138382.tif 000005
【図４】
2004138382.tif 000006
【図５】
2004138382.tif 000007